(57)【要約】【課題】システムヘの負担が抑えられるとともに、電源電圧が低下したことによるレンズの動作に変化があったことを使用者が認識できる交換レンズ及びカメラシステムを提供する。【解決手段】交換レンズ１０は、カメラボディの電源から給電される電圧値を検出する電圧検出器４０と、電圧検出器４０によって検出された電圧値とあらかじめ設定されている設定値（電圧しきい値）５１とを比較する電圧比較器５０と、電圧比較器５０の比較結果に応じて合焦用レンズの駆動方法を変更するマイクロコンピュータ２０と、マイクロコンピュータ２０が合焦用レンズの駆動方法を変更したことを使用者に報知する報知部６０等とを備える。【選択図】図１
2005157001.tif 000002
【特許請求の範囲】
【請求項１】
電源から給電される電圧値を検出する電圧検出部と、
前記電圧検出部によって検出された電圧値とあらかじめ設定されている設定値とを比較する比較部と、
前記比較部の比較結果に応じてレンズの駆動方法を変更する駆動制御部と、
前記駆動制御部がレンズの駆動方法を変更したことを使用者に報知する報知部と、
を備える交換レンズ。
【請求項２】
請求項１に記載の交換レンズにおいて、
前記設定値は、複数設定され、
前記駆動制御部は、前記複数の設定値に対する比較結果毎にレンズの動作方法を変更し、
前記報知部は、前記比較結果毎に報知形態を変更すること、
を特徴とする交換レンズ。
【請求項３】
請求項１又は請求項２に記載の交換レンズにおいて、
前記電源の種類を取得し、その電源の種類に応じて前記設定値を変更する設定値変更部を備えること、
を特徴とする交換レンズ。
【請求項４】
請求項１から請求項３までのいずれか１項に記載の交換レンズにおいて、
前記報知部は、音を発生させる発音体及び／又は光を発生させる発光体であること、
を特徴とする交換レンズ。
【請求項５】
交換レンズと、
前記交換レンズが取り付けられたカメラ本体と、
を備えるカメラシステムであって、
電源から前記交換レンズに給電される電圧値を検出する電圧検出部と、
前記電圧検出部によって検出された電圧値とあらかじめ設定されている設定値とを比較する比較部と、
前記比較部の比較結果に応じてレンズの駆動方法を変更する駆動制御部と、
前記駆動制御部がレンズの駆動方法を変更したことを使用者に報知する報知部と、
を備えるカメラシステム。
【請求項６】
請求項５に記載のカメラシステムにおいて、
前記設定値は、複数設定され、
前記駆動制御部は、前記複数の設定値に対する比較結果毎にレンズの動作方法を変更し、
前記報知部は、前記比較結果毎に報知形態を変更すること、
を特徴とするカメラシステム。
【請求項７】
請求項５又は請求項６に記載のカメラシステムにおいて、
前記交換レンズに設けられ、前記カメラ本体の電源の種類を取得し、その電源の種類に応じて前記設定値を変更する設定値変更部を備えること、
を特徴とするカメラシステム。
【請求項８】
請求項５から請求項７までのいずれか１項に記載のカメラシステムにおいて、
前記報知部は、音を発生させる発音体及び／又は光を発生させる発光体であること、
を特徴とするカメラシステム。
【発明の詳細な説明】
【技術分野】
【０００１】
本発明は、銀塩カメラ、デジタルスチルカメラ、ビデオカメラ等のカメラボディに着脱可能な交換レンズ及びカメラシステムに関するものである。
【背景技術】
【０００２】
従来、この種の交換レンズは、カメラボディから供給される電源電圧の低下を検出し、電源電圧が低下した場合には、合焦用レンズの動作を停止させたり、ブレ補正用レンズの動作を停止させていた（例えば、特許文献１）。
【０００３】
また、カメラボディが、電源電圧の低下を音によって警告したり（例えば、特許文献２）、交換レンズが、レンズのブレの状態を音の周波数の変化により通知すること（例えば、特許文献３）等も提案されている。
【０００４】
一方、近年の高機能化した交換レンズは、消費電力が上昇傾向にあるので、電源供給元となるカメラボディとは別に、交換レンズ側で独自にバッテリチェック機能を持ち、バッテリが低下した場合には、交換レンズの動作の一部を制限し、消費電力を抑える方式等もとられていた。
【０００５】
しかし、特許文献１の発明は、電源電圧の低下を通信によって交換レンズ内の制御部に伝える方式であるので、急激な電圧低下が生じた場合にもマイクロコンピュータに高速な動作を要求することになり、システムヘの負担が大きくなる可能性があった。
【０００６】
また、特許文献２，３のものは、電圧低下やブレ補正の状態を音で通知しているに過ぎず、消費電力低減対策としてＡＦ（オートフォーカス）駆動の制限を行っている場合には、そのことを使用者に通知していないので、使用者は、交換レンズ内でどのような処理が行われているかがわからず、交換レンズの機能が動作不良や故障を起こしているかに判断されがちであった。
【０００７】
【特許文献１】特開２００２−２４４１８６号公報
【特許文献２】特開昭５６−１７３３３号公報
【特許文献３】特開２０００−２３５２０５号公報
【発明の開示】
【発明が解決しようとする課題】
【０００８】
本発明の課題は、システムヘの負担が抑えられるとともに、電源電圧が低下したことによるレンズの動作に変化があったことを使用者が認識できる交換レンズ及びカメラシステムを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、電源から給電される電圧値を検出する電圧検出部（４０）と、前記電圧検出部（４０）によって検出された電圧値とあらかじめ設定されている設定値（５１）とを比較する比較部（５０）と、前記比較部（５０）の比較結果に応じてレンズの駆動方法を変更する駆動制御部（２０，２０Ａ）と、前記駆動制御部（２０，２０Ａ）がレンズの駆動方法を変更したことを使用者に報知する報知部（６０，６０Ａ）と、を備える交換レンズである。
【００１０】
請求項２の発明は、請求項１に記載の交換レンズにおいて、前記設定値（５１）は、複数設定され、前記駆動制御部（２０，２０Ａ）は、前記複数の設定値（５１）に対する比較結果毎にレンズの動作方法を変更し、前記報知部（６０，６０Ａ）は、前記比較結果毎に報知形態を変更すること、を特徴とする交換レンズである。
【００１１】
請求項３の発明は、請求項１又は請求項２に記載の交換レンズにおいて、前記電源の種類を取得し、その電源の種類に応じて前記設定値（５１）を変更する設定値変更部を備えること、を特徴とする交換レンズである。
【００１２】
請求項４の発明は、請求項１から請求項３までのいずれか１項に記載の交換レンズにおいて、前記報知部（６０，６０Ａ）は、音を発生させる発音体（６２Ａ）及び／又は光を発生させる発光体（６２）であること、を特徴とする交換レンズである。
【００１３】
請求項５の発明は、交換レンズと、前記交換レンズが取り付けられたカメラ本体と、
を備えるカメラシステムであって、電源から前記交換レンズに給電される電圧値を検出する電圧検出部（４０）と、前記電圧検出部（４０）によって検出された電圧値とあらかじめ設定されている設定値（５１）とを比較する比較部（５０）と、前記比較部（５０）の比較結果に応じてレンズの駆動方法を変更する駆動制御部（２０，２０Ａ）と、前記駆動制御部（２０，２０Ａ）がレンズの駆動方法を変更したことを使用者に報知する報知部（６０，６０Ａ）と、を備えるカメラシステムである。
【００１４】
請求項６の発明は、請求項５に記載のカメラシステムにおいて、前記設定値（５１）は、複数設定され、前記駆動制御部（２０，２０Ａ）は、前記複数の設定値（５１）に対する比較結果毎にレンズの動作方法を変更し、前記報知部（６０，６０Ａ）は、前記比較結果毎に報知形態を変更すること、を特徴とするカメラシステムである。
【００１５】
請求項７の発明は、請求項５又は請求項６に記載のカメラシステムにおいて、前記交換レンズに設けられ、前記カメラ本体の電源の種類を取得し、その電源の種類に応じて前記設定値（５１）を変更する設定値変更部を備えること、を特徴とするカメラシステムである。
【００１６】
請求項８の発明は、請求項５から請求項７までのいずれか１項に記載のカメラシステムにおいて、前記報知部（６０，６０Ａ）は、音を発生させる発音体（６２Ａ）及び／又は光を発生させる発光体（６２）であること、を特徴とするカメラシステムである。
【発明の効果】
【００１７】
本発明によれば、以下のような効果がある。
（１）電圧検出部によって検出された電圧値とあらかじめ設定されている設定値とを比較し、その比較結果に応じてレンズの駆動方法を変更し、その駆動方法の変更を使用者に報知するようにしたので、交換レンズにおいてバッテリ保護動作等を行っていることを使用者が認識できるようになり、状況に合わせた撮影ができる。
【００１８】
（２）設定値を複数設定し、複数の設定値に対する比較結果毎にレンズの動作方法を変更し、その比較結果毎に報知形態を変更するようにしたので、交換レンズにおける動作状態の変更をより詳細に報知できる。
【００１９】
（３）電源の種類を取得し、その電源の種類に応じて設定値を変更する設定値変更部を設けたので、外部に取り付けられるカメラ本体毎に電源電圧が異なる場合でも、適切に交換レンズの動作を制限することができる。
【００２０】
（４）報知部を発音体や発光体としたので、使用者が認識しやすく、また、交換レンズにあらかじめ発音体や発光体が設けられている場合は、それを代用することによって、新たな設備投資は不要となり低コストで製造できる。
【発明を実施するための最良の形態】
【００２１】
本発明は、電源電圧が低下したことによるレンズの動作に変化があったことを使用者が認識できる交換レンズ及びカメラシステムを提供するという目的を、カメラボディより供給される電源電圧を検出する電圧検出器と、電圧検出器によって検出された電圧値とあらかじめ設定された電圧しきい値とを比較する電圧比較器を設け、電圧比較器の出力結果により、レンズ内にある合焦用レンズ等の駆動回路の制御方式を変更するとともに、その変更を報知部によって使用者に報知することにより実現した。
【実施例１】
【００２２】
図１は、本発明による交換レンズの実施例１を示すブロック図であり、図２は、実施例１による交換レンズ内の電源電圧変動及びその変動に対する制御シーケンスを示す図である。
実施例１による交換レンズ１０は、マイクロコンピュータ（駆動制御部）２０と、ＤＣ／ＤＣコンバータ３０と、電圧検出器（電圧検出部）４０と、電圧比較器（比較部）５０と、報知部６０と、ＶＯＣ７０と、１／４分周器８０と、モータ部９０等とを備える。
【００２３】
マイクロコンピュータ２０は、交換レンズ１０の内部に設けられ、カメラボディ（本体）との通信及び各種レンズの駆動制御を行うためのコンピュータであり、電圧比較器５０の比較結果に応じて合焦用レンズ（不図示）の駆動方法（例えば、ＡＦ駆動／ＡＦ停止）を変更する。
【００２４】
ＤＣ／ＤＣコンバータ３０は、カメラボディからのパワー系電源をモータ駆動に必要な電源電圧に変換する装置である。
【００２５】
電圧検出器４０は、カメラボディから供給されるパワー系電源の電源電圧を検出するための装置であり、検出した電圧値を電圧比較器５０に伝達する。
【００２６】
電圧比較器５０は、電圧検出器４０によって検出された電圧値とあらかじめ設定されている設定値（電圧しきい値）５１とを比較をする装置であり、比較結果をマイクロコンピュータ２０に伝達する。
【００２７】
設定値５１は、マイクロコンピュータ２０のリセット電圧よりも大きな値であって、一連の撮影シーケンスが無事完了するために最低限必要な電圧値であり、ＡＦ駆動が、なるべく長く行えるように、可能な限り低く設定されている。なお、この設定値５１の値に関しては、実験により求めてもよい。
【００２８】
報知部６０は、ＬＥＤ駆動回路６１と、ＬＥＤ６２とを備え、ＬＥＤ駆動回路６１は、マイクロコンピュータ２０からの駆動／停止命令によってＬＥＤ６２を駆動する回路であり、ＬＥＤ６２は、光を発生させる発光体であり、パワー系電源の電源電圧の低下によって、マイクロコンピュータ２０が合焦用レンズの駆動方法を変更した場合には、光の点滅で使用者に報知する。
【００２９】
ＶＯＣ７０は、マイクロコンピュータ２０から制御電圧を受けて駆動し、モータ９２の駆動周波数を設定する電圧制御発振器である。
【００３０】
１／４分周器８０は、ＶＣＯ７０からの出力を１／４分周し、位相が９０°異なる信号を生成する装置である。
【００３１】
モータ部９０は、モータ駆動回路９１と、モータ９２とを備え、モータ駆動回路９１は、１／４分周器８０の出力によりモータ９２を駆動する回路であり、モータ９２は、合焦用レンズを駆動する装置である。
【００３２】
次に、実施例１による交換レンズ１０の動作を、図２を参照しながら説明する。
図２（Ａ）に示すように、パワー系電源電圧が低下し、あらかじめ設定されている設定値以下になると、図２（Ｂ）に示すように、電圧比較器５０の出力が反転し、その出力結果を受けたマイクロコンピュータ２０が、１／４分周器８０に対して、ＡＦ駆動の停止命令を送信する。
【００３３】
そして、ＡＦ駆動が停止した後は、図２（Ｃ）に示すように、マイクロコンピュータ２０がＬＥＤ駆動回路６１に駆動命令を送信し、ＬＥＤ駆動回路６１がＬＥＤ６２をＯＮ／ＯＦＦし、使用者にＡＦ駆動が停止したことを報知する。
【００３４】
このように、実施例１によれば、使用者は、カメラボディにあるバッテリ残量レベル表示と、交換レンズ１０からのバッテリ低下警告通知とにより、現在のバッテリ状態が把握でき、バッテリ低下による交換レンズ１０の機能の低下を認識しながら、撮影ができるようになる。例えば、より高精度に撮影したい場合は、すぐにバッテリを充電して、ＡＦを駆動させるようにし、そのまま撮影を続けたい場合は、ＡＦが停止していることを考慮しながら、そのまま慎重に撮影し続ける等といった、状況に応じた撮影ができるようになる。
【００３５】
さらにまた、一連の処理が交換レンズ１０の内部で完結しているので、カメラボディにＡＦ駆動の状態を通信する必要がなく、システムの負担を抑えることができる。
【実施例２】
【００３６】
図３は、本発明による交換レンズの実施例２を示すブロック図であり、図４は、実施例２による交換レンズ内の電源電圧変動及びその変動に対する制御シーケンスを示す図である。
なお、前述した実施例１と同様な機能を果たす部分には、同一の符号又は末尾に統一した符号を付して、重複する説明や図面を適宜省略する。
実施例２の交換レンズ１０Ａは、実施例１の交換レンズ１０とは異なり、比較部が、マイクロコンピュータ２０Ａの内部に組み込まれ、その代わりに、Ａ／Ｄコンバータ４１が増設され、また、報知部６０Ａが、光を発生させるタイプから、音を発生させるタイプ（ブザー駆動回路６１Ａ、ブザー６２Ａ）に変更されている。
【００３７】
Ａ／Ｄコンバータ４１は、ＡＤ変換するチップであり、電圧検出器４０からの出力をマイクロコンピュータ２０Ａに入力する。
【００３８】
マイクロコンピュータ２０Ａには、２つの設定値（設定値１＞設定値２）があらかじめ設定されており、マイクロコンピュータ２０Ａの内部の比較部は、Ａ／Ｄコンバータ４１からの出力値と２つの設定値とを比較する。
また、マイクロコンピュータ２０Ａは、２つの設定値に対する比較結果毎に合焦用レンズのＡＦ駆動方法を変更し（後述のモード１，２，３）、報知部６０Ａは、その比較結果毎に報知形態を変更する。
【００３９】
次に、実施例２による交換レンズ１０Ａの動作を、図４を参照しながら説明する。
図４（Ａ）に示すように、通常状態（モード１）で動作中に、パワー系電源電圧が設定値１以下になると、マイクロコンピュータ２０Ａは、ＡＦ駆動のスキャン時における最高速度を制限し（モード２）、モータ９２での消費電力を抑える。モード２では、低速でのＡＦ駆動が開始するとともに、図４（Ｂ）に示すように、ブザー６２Ａを間欠に駆動する（鳴らす）ことにより、使用者には、電源電圧の低下に伴うバッテリ保護動作がレンズ内で行われていることを報知する。
【００４０】
そして、パワー系電源電圧がさらに低下し、設定値２以下になると、マイクロコンピュータ２０Ａは、ＡＦ駆動を停止し（モード３）、モータ９２が電力を消費しないようにする。モード３では、レリーズ（撮影）のみ許可する状態になるとともに、図４（Ｃ）に示すように、ブザー６２Ａを連続的に駆動させ、ＡＦが駆動できないほどバッテリが低下していることを使用者に報知する。
【００４１】
このように、実施例２によれば、２つの設定値をあらかじめ設定し、マイクロコンピュータ２０Ａに、Ａ／Ｄコンバータ４１を介してパワー系電源電圧の電圧値を入力し、３つのモードでの電源保護動作に応じてブザー６２Ａの報知形態を変更するようにしたので、実施例１と比べて、交換レンズ内のより多くの状態を報知できる。
【００４２】
また、設定値がマイクロコンピュータ２０Ａで設定でき、カメラボディや温度等の条件に合わせた変更が可能となるので、より柔軟なバッテリ保護動作と報知とができるようになる。
【００４３】
さらに、報知部として音を発生するブザー６２Ａを用いたので、より認知されやすい。
【００４４】
（変形例）
以上説明した実施例に限定されることなく、種々の変形や変更が可能であって、それらも本発明の均等の範囲内である。
（１）外部に取り付けられたカメラボディの電源の例で説明したが、交換レンズ内に電源が設けられている場合は、その電源の電圧を検出するようにしてもよい。
【００４５】
（２）交換レンズに取り付けられるカメラボディの電源の種類（例えば、単３，アルカリ，リチウム等の電池情報、カメラボディのボディ種別、新形ボディ，旧形ボディ等の新旧情報）を取得し、その電源の種類に応じて、あらかじめ設定されている設定値を変更する設定値変更部を設けてもよい。このようにすれば、交換レンズを取り付けるカメラによって、適切に設定値を変更できるようになるので、様々なカメラボディに幅広く対応できる。
【図面の簡単な説明】
【００４６】
【図１】本発明による交換レンズの実施例１を示すブロック図である。
【図２】実施例１による交換レンズ内の電源電圧変動及びその変動に対する制御シーケンスを示す図である。
【図３】本発明による交換レンズの実施例２を示すブロック図である。
【図４】実施例２による交換レンズ内の電源電圧変動及びその変動に対する制御シーケンスを示す図である。
【符号の説明】
【００４７】
１０、１０Ａ  交換レンズ
２０、２０Ａ  マイクロコンピュータ
３０  ＤＣ／ＤＣコンバータ
４０  電圧検出器
４１  Ａ／Ｄコンバータ
５０  電圧比較器
５１  設定値
６０、６０Ａ  報知部
６１  ＬＥＤ駆動回路
６１Ａ  ブザー駆動回路
６２  ＬＥＤ
６２Ａ  ブザー
７０  ＶＯＣ
８０  １／４分周器
９０  モータ部
９１  モータ駆動回路
９２  モータ
【図１】
2005157001.tif 000003
【図２】
2005157001.tif 000004
【図３】
2005157001.tif 000005
【図４】
2005157001.tif 000006